(57)【要約】【課題】ブロー成形と同時に狭窄域を形成できるボトル及びその製造方法を提案する。【解決手段】内容物を排出する口部１を有し、この口部１の下端につながる頚部２を経て肩部３、胴部４、底部５を一体的に形成した合成樹脂製ブローボトルにおいて、前記胴部４に、ブロー成形の前断階にて装着され、ブロー成形に際して延伸倍率を異ならせるか若しくは延伸を抑制することにより狭窄域６を形成するフィルム７を配設する。【選択図】図１
2009241526.tif 000002
【特許請求の範囲】
【請求項１】
内容物を注出する口部を有し、この口部の下端につながる頚部を経て肩部、胴部、底部を一体的に形成した合成樹脂製ブローボトルであって、
前記胴部に、ブロー成形の前断階にて装着され、ブロー成形に際して延伸倍率を異ならせるか若しくは延伸を抑制することにより狭窄域を形成するフィルムを配設してなる、ことを特徴とする合成樹脂製ブローボトル。
【請求項２】
前記狭窄域が、凹所又は胴部の全周にわたって伸延する環状溝である請求項１記載の合成樹脂製ブローボトル。
【請求項３】
前記フィルムが、ボトルと同材質又は異材質からなる単層フィルム若しくは積層フィルムである、請求項１又は２記載の合成樹脂製ブローボトル。
【請求項４】
内容物を注出する口部を有し、この口部の下端につながる頚部を経て肩部、胴部、底部を一体的に形成した合成樹脂製ブローボトルを製造するに当たり、
射出成形もしくは押出し成形により一端を開放した試験管形状をなすプリフォームを形成し、次いで、該プリフォームの胴部にフィルムを装着したのち、ブロー金型内に配置せしめてブロー成形を行うことにより該胴部に狭窄域を形成することを特徴とする合成樹脂製ブローボトル。
【発明の詳細な説明】
【技術分野】
【０００１】
本発明は、合成樹脂製ブローボトル及びその製造方法に関するものであり、特殊な金型を用いることなしにブローボトルの胴部に狭窄域を形成しようとするものである。
【背景技術】
【０００２】
酒や飲料、醤油等を入れるボトルは、ガラス製のボトルに比較して取り扱いが容易でありコストの軽減を図るのにも有利であるため近年、２軸延伸ブロー成形によって成形された合成樹脂製のブローボトルが多用されている。
【０００３】
ところで、この種のブローボトルはその胴部に凹部やウエスト等の狭窄部を設けてその外観形状に特異性をもたせる場合（例えば特許文献１参照）に、その成形時に成形体を金型内で直接押圧するスライド中子（移動金型）を組み入れた特殊な金型が必要になることから設備コストの上昇が避けられず、しかも、成形状況によってはスライド中子が伸延ロッドに当接してその相互間に位置する成形体が破損して不良品が発生しやすい不具合があった。
【特許文献１】特許第３４０９３００号明細書
【発明の開示】
【発明が解決しようとする課題】
【０００４】
本発明の課題は、特殊な成形金型を用いることなしにボトルの胴部に狭窄域を形成することができる新規なブローボトルとその製造方法を提案するところにある。
【課題を解決するための手段】
【０００５】
本発明は、上記の課題を解決するためになされたものであり、内容物を注出する口部を有し、この口部の下端につながる頚部を経て肩部、胴部、底部を一体的に形成した合成樹脂製ブローボトルにおいて、
前記胴部に、ブロー成形の前断階にて装着され、ブロー成形に際して延伸倍率を異ならせるか若しくは延伸を抑制することにより狭窄域を形成するフィルムを配設するところに特徴を有する。
【０００６】
上記の構成になるブローボトルにおいて、狭窄域は、凹所又は胴部の全周にわたって伸延する環状溝とするのが好ましい。また、フィルムは、ボトルと同材質又は異材質からなる単層フィルム若しくは積層フィルムを用いることができる。
【０００７】
また、本発明は、内容物を注出する口部を有し、この口部の下端につながる頚部を経て肩部、胴部、底部を一体的に形成した合成樹脂製ブローボトルを製造するに当たり、
射出成形もしくは押出し成形により一端を開放した試験管形状をなすプリフォームを形成し、次いで、該プリフォームの胴部にフィルムを装着したのち、ブロー金型内に配置せしめてブロー成形を行うことにより該胴部に狭窄域を形成するところに特徴を有する。
【発明の効果】
【０００８】
ブロー成形に先立ち、プリフォームの外表面に該プリフォームと同材質又は異材質からなる単層フィルム若しくは積層フィルムを装着しておくと、ブロー成形の際、その部位には該フィルムによる箍効果が生じ、延伸倍率が他の領域と異なるかあるいは延伸が抑制されることとなり、スライド中子等を備えた特殊な金型を使用せずとも狭窄域が形成される。
【発明を実施するための最良の形態】
【０００９】
以下、図面を用いて本発明をより具体的に説明する。
図１はラムネ等の飲料容器として適用し得る本発明にしたがうブローボトルの実施の形態を示した図である。
【００１０】
図における１は内容物を注出する口部、２は口部１の下端につながる頸部、３は頸部２につながる肩部、４は胴部、さらに５は底部であり、これらは２軸延伸ブロー成形により全て一体的に形成される。
【００１１】
また、６は胴部２に形成された狭窄域である。この狭窄域６は環状溝を形成することによって胴部２の全周を凹ませた例として示してある。そして７は狭窄域６に設けられたフィルムである。このフィルム７はブロー成形の前段階でプリフォームの外周面に装着される。
【００１２】
本発明にしたがうブローボトルは、プリフォームの段階で装着したフィルム７がプリフォームの延伸倍率を他の領域と異ならせるか若しくは延伸を抑制する箍として作用するため、ブロー成形の際にその対応部位に狭窄域が形成されることになる。
【００１３】
図２にフィルム７を装着したプリフォームＰの断面を、また、図３にブロー成形の要領をそれぞれ示す。
【００１４】
本発明にしたがう方法を適用すると、スライド中子等のような余計な装備が不要なので、プリフォームの内側に配置される延伸ロッドＲとスライド中子とが接触して成形体に破れ等が生じる破損を引き起こすおそれはまったくないうえ、通常使用する金型をそのまま転用できる利点がある。
【００１５】
狭窄域６を形成するフィルム７は局所的に装着してもよく、この場合、その部位は延伸しにくくなるため凹部（これも狭窄域に含むものとする）が形成される。
【００１６】
図４は本発明を実施するのに用いて好適なプリフォームＰを示した図である。  プリフォームＰの成形に際して予めその周りに凹部ｔを形成しておき、この凹部ｔにフィルム７を配置してもよく、これにより正確な位置決めが可能となる。また、プリフォームＰの径Ｄを図５に示すようにその長手方向の途中において径Ｄ０に変更しその段差部でフィルム７の位置決め行うようにしてもよい。
【００１７】
フィルム７としてはＰＥＴ等の単層のフィルムやＰＥＴ／ナイロン等の積層フィルムを適用することができる。材質についてはボトルの材質と異なるものであってもよくこの点についてはとくに限定はされない。また、厚さに関しても均一なフィルムはもちろんのこと、平面内で厚さが変動するものを用いてもよい。
【００１８】
本発明にしたがうボトルはボトル底部を高圧力に耐え得る形状に仕上げることで例えばラムネ等の飲料ボトルとして使用し得る。
【００１９】
フィルム７をプリフォームの外表面に装着するには、インサート成形を適用するのが好適であるが、接着剤を介して貼着させてもよい。
【産業上の利用可能性】
【００２０】
移動金型を使用した成形を行うことなし狭窄域をもったブローボトルが比較的簡単に製造できる。
【図面の簡単な説明】
【００２１】
【図１】本発明にしたがう合成樹脂製ブローボトルの実施の形態を示した図である。
【図２】プリフォームの断面を示した図である。
【図３】本発明にしたがうブローボトルの成形要領を示した図である。
【図４】本発明の実施に用いて好適なプリフォームの断面を示した図である。
【図５】本発明の実施に用いて好適なプリフォームの断面を示した図である。
【符号の説明】
【００２２】
１    口部
２    頸部
３    肩部
４    胴部
５    底部
６    狭窄域
７    フィルム
【図１】
2009241526.tif 000003
【図２】
2009241526.tif 000004
【図３】
2009241526.tif 000005
【図４】
2009241526.tif 000006
【図５】
2009241526.tif 000007